(57)【特許請求の範囲】
【請求項１】
装置本体の正面に設けられた媒体挿入排出口から印字面を垂直にして奥行き方向に挿入された第１の媒体および第２の媒体からなる媒体を、処理後に前記媒体挿入排出口から排出する媒体処理装置において、
前記媒体挿入排出口から挿入された媒体を取込み、その媒体を挿入方向に搬送する媒体搬送路と、
前記媒体搬送路の前記挿入方向の下流側に併設され、前記媒体搬送路から引渡された媒体を、その媒体の下端の位置決めを行う印字基準面に沿わせて前記挿入方向に搬送する印字搬送路と、前記印字搬送路に設けられ、媒体への印字を行う媒体印字部とが設けられた媒体処理部と、
前記媒体搬送路と前記印字搬送路との連結部から分岐する分岐搬送路に設けられた一時退避部と、
前記連結部に設けられ、搬送方向を前記印字搬送路または前記分岐搬送路の方向へ切替える搬送路切替部と、を設けたことを特徴とする媒体処理装置。
【請求項２】
請求項１に記載の媒体処理装置において、
前記媒体印字部による前記第１の媒体への印字処理中に、前記媒体挿入排出口からの前記第２の媒体の挿入を受入れることを特徴とする媒体処理装置。
【請求項３】
請求項１に記載の媒体処理装置において、
前記媒体印字部による前記第２の媒体への印字処理中に、前記媒体挿入排出口からの前記第１の媒体の挿入を受入れることを特徴とする媒体処理装置。
【発明の詳細な説明】
【技術分野】
【０００１】
本発明は、金融機関に設置され、オペレータがセットした通帳および伝票からなる媒体を取込み、その媒体に対する印字処理等を行う媒体処理装置に関する。
【背景技術】
【０００２】
従来の媒体処理装置として通帳伝票プリンタは、正面側に通帳挿入口と伝票挿入口とを上下２段に設けたインサータユニットを配置し、その通帳用および伝票用の搬送路を合流させて一つの印字ユニットへ導く搬送経路を形成し、通帳挿入口から挿入された通帳は、通帳用の搬送路に設けた幅寄せローラによって基準面に突当てて位置決めした後に通帳の磁気ストライプに記録された通帳情報を読取って印字ユニットへ搬送し、伝票挿入口から挿入された伝票は、伝票用の搬送路に設けた幅寄せローラによって基準面に突当てて位置決めして印字ユニットへ搬送し、通帳または伝票に対する印字処理の後に搬送経路を合流部で切替えて、媒体が挿入された元の通帳挿入口または伝票挿入口から排出している（例えば、特許文献１参照。）。
【先行技術文献】
【特許文献】
【０００３】
【特許文献１】特開２０００−２８１２４５号公報（段落０００２、０００３、００１１−００２４、第３図）
【発明の概要】
【発明が解決しようとする課題】
【０００４】
しかしながら、上述した従来の技術においては、通帳挿入口および伝票挿入口を上下２段に配置し、通帳または伝票を水平にして挿入しているため、通帳伝票プリンタを机上等に設置することが必要になり、その水平方向の設置幅が大きいために、金融機関の応対窓口等における机上の作業スペースが狭くなるという問題がある。
【０００５】
また、通帳および伝票をそれぞれ挿入するための専用の挿入口を設け、挿入された媒体を一つの印字ユニットで処理しているため、どちらかの媒体への印字処理等の処理後に当該媒体の排出が終了しないと他の媒体の処理を行うことができず、窓口取引における媒体の処理に時間を要するという問題がある。
本発明は、上記の問題点を解決するためになされたもので、媒体処理装置を設置する空間のスペースユーティリティを向上させると共に、媒体の処理に要する時間を短縮する手段を提供することを目的とする。
【課題を解決するための手段】
【０００６】
本発明は、上記課題を解決するために、装置本体の正面に設けられた媒体挿入排出口から印字面を垂直にして奥行き方向に挿入された第１の媒体および第２の媒体からなる媒体を、処理後に前記媒体挿入排出口から排出する媒体処理装置において、前記媒体挿入排出口から挿入された媒体を取込み、その媒体を挿入方向に搬送する媒体搬送路と、前記媒体搬送路の前記挿入方向の下流側に併設され、前記媒体搬送路から引渡された媒体を、その媒体の下端の位置決めを行う印字基準面に沿わせて前記挿入方向に搬送する印字搬送路と、前記印字搬送路に設けられ、媒体への印字を行う媒体印字部とが設けられた媒体処理部と、前記媒体搬送路と前記印字搬送路との連結部から分岐する分岐搬送路に設けられた一時退避部と、前記連結部に設けられ、搬送方向を前記印字搬送路または前記分岐搬送路の方向へ切替える搬送路切替部と、を設けたことを特徴とする。
【発明の効果】
【０００７】
これにより、本発明は、媒体処理装置の水平方向の設置幅を小さくして、媒体処理装置を設置する空間のスペースユーティリティを向上させることができると共に、通帳および伝票の同時処理を可能にして、取引における処理時間を短縮することができるという効果が得られる。
【図面の簡単な説明】
【０００８】
【図１】実施例１の通帳伝票プリンタの構成を示すブロック図
【図２】実施例１の通帳伝票プリンタの設置状態を示す説明図
【図３】実施例１の通帳伝票プリンタの側面から見た概略構成を示す説明図
【図４】図３のＡ−Ａ断面線に沿った正面側からみた断面を示す説明図
【図５】図３のＢ−Ｂ断面線に沿った上面側からみた断面を示す説明図
【発明を実施するための形態】
【０００９】
以下に、図面を参照して本発明による媒体処理装置の実施例について説明する。
【実施例１】
【００１０】
図１において、１は媒体処理装置としての通帳伝票プリンタであり、第1の媒体としての通帳および第２の媒体としての伝票からなる２種類の媒体に対する印字処理、通帳の磁気ストライプに磁気データとして記録された通帳情報の読取りや書込みの処理を行う。ここで、通帳伝票プリンタ１に設けられた図示しない制御部は、上位装置とのデータ送受信、媒体の搬送、印字処理および磁気データの読取りや書込み処理等を制御する。
【００１１】
２は媒体挿入排出口であり、通帳伝票プリンタ１の装置本体の正面（オペレータ側の面のことをいう。図３において左側）に設けられた、通帳および伝票の挿入および排出を兼用で行う一つの開口であって、取引で取扱われる媒体（取扱媒体という。）の中で最大の媒体が挿入可能な大きさを有している。
【００１２】
本実施例の通帳伝票プリンタ１は、媒体挿入排出口２から印字面を垂直にして挿入された媒体（通帳および伝票）を取込み、処理後の媒体を印字面を垂直にして媒体挿入排出口２から排出する媒体取込排出部３と、媒体取込排出部３から引渡された通帳および伝票に取引内容や処理済等の所定の事項の印字を行う媒体印字部４、通帳のページ替えが必要となった場合にページ捲りを行う通帳ページ捲り部５等を備えた媒体処理部６とを媒体の挿入方向に並設し、媒体挿入排出口２から挿入された通帳を媒体取込排出部３で取込み、その通帳を媒体処理部６へ搬送して印字処理等の処理を行い、通帳への印字処理中に媒体挿入排出口２から伝票が挿入された場合に、媒体取込排出部３で取込んだ伝票の搬送先を搬送路切替部７で切替えて一時退避部８に一時退避させ、処理後の通帳を媒体取込排出部３へ搬送して媒体挿入排出口２から排出した後に、一時退避させた伝票を、一旦、媒体取込排出部３へ戻して媒体処理部６へ搬送し、その伝票への印字処理後に媒体取込排出部３へ搬送して媒体挿入排出口２から排出するように構成され、図２に示すように、通帳伝票プリンタ１への指示入力等を行う上位装置としての入力装置１０が載置された机の下等に媒体挿入排出口２を正面側に向けて縦長に設置される。また、本実施例の一時退避部８は、媒体処理部６の水平方向に併設されている。
【００１３】
媒体印字部４は、通帳および伝票への印字を行うための印字ヘッド４ａとこれに対向して設けられたプラテン４ｂとインクリボンカセット４ｃとを備えており（図５参照）、後述する印字搬送路２３により搬送された通帳および伝票に印字を行う機能を有している。
【００１４】
図３において、１１は媒体搬送ローラであり、媒体挿入排出口２から印字面を垂直にして挿入された通帳および伝票からなる２種類の媒体を一対のローラで挟持して、挿入方向または排出方向、つまり図３に矢印で示すＲ方向またはＦ方向に搬送する搬送ローラであって、図４、図５に示すように、媒体の表裏の面を案内する一対の搬送ガイド１２ａ、１２ｂ間の媒体搬送路１２から退避可能に設けられている。
【００１５】
また、本実施例においては、媒体挿入排出口２から挿入された通帳および伝票は、媒体搬送ローラ１１に挟持されて搬送され、媒体取込排出部３に取込まれる。
なお、図３は、紙面手前側に設けられた一時退避部８および分岐搬送路３１（後述）を省略した状態で示してある。
【００１６】
１３は挿入センサであり、媒体挿入排出口２の直近に配置された光学式のセンサであって、媒体の挿入および排出を検出すると共に、挿入された媒体の挿入方向の長さを検出する機能を有している。
１４は媒体セットセンサであり、媒体搬送路１２の媒体基準面１５の上側でその背面側（図３において右側）に配置された光学式のセンサであって、媒体の下端が媒体基準面１５に突当てられて位置決めされたことを検出すると共に、媒体挿入排出口２から挿入された媒体の挿入方向（Ｒ方向）の先端を検出して媒体が媒体取込排出部３内に取込まれたことを検出する。
【００１７】
１６は幅寄せローラであり、媒体を挟持して搬送する一対のローラであって、媒体の下端が、通帳や伝票の反り等の要因で媒体基準面１５に突当てられなかったことを媒体セットセンサ１４によって検出したときに、媒体を媒体基準面１５に強制的に突当てる機能を有しており、媒体搬送路１２から退避可能に設けられている。なお、幅寄せローラ１６は区別のためにハッチングを付して示してある（図３参照）。
【００１８】
２１は印字搬送ローラであり、媒体基準面１５で位置決めされ、媒体取込排出部３の媒体搬送路１２から引渡された媒体を挟持してＦ方向またはＲ方向に搬送する搬送ローラであって、図３、図５に示すように、媒体の下端を印字基準面２２に沿わせながら一対の搬送ガイド２３ａ、２３ｂ間の印字搬送路２３に沿って媒体を搬送する。
なお、各印字搬送ローラ２１は、図５に示すように、印字搬送路２３内で一対の搬送ローラが突合された状態で設けられている。また、印字基準面２２は、媒体取込排出部３の媒体基準面１５と面一になる位置に設けられている。
【００１９】
２５は磁気ヘッドであり、通帳に設けられた磁気ストライプに応じた位置に取付られており、磁気ストライプに記録された通帳情報の読取り、書込みを行う。
２６はページセンサであり、通帳の各ページに設けられたページマークの読取りや印字文字の判別を行う。
【００２０】
３１は分岐搬送路であり、図５に示すように、媒体搬送路１２と印字搬送路２３との連結部から分岐して一時退避部８内に至る搬送路であって、搬送路切替部７で搬送方向を切替えられた通帳および伝票を、一対の搬送ガイド３１ａ、３１ｂ間を分岐搬送ローラ３２で挟持して正逆両方向に搬送する。
【００２１】
搬送路切替部７は、媒体搬送路１２と印字搬送路２３との連結部に配置され、切替ブレードやその駆動機構等からなる搬送方向の切替機構を備えており、媒体取込排出部３から搬送される媒体の搬送方向を、印字搬送路２３または分岐搬送路３１の方向へ切替える機能等を有している。
なお、各分岐搬送ローラ３２は、図４、図５に示すように、分岐搬送路３１内で一対の搬送ローラが突合された状態で設けられている。
【００２２】
上記した媒体取込排出部３は、媒体搬送ローラ１１、幅寄せローラ１６、媒体基準面１５、挿入センサ１３、媒体セットセンサ１４等で構成されている。
また、媒体処理部６は、印字搬送ローラ２１を有する印字搬送路２３、印字基準面２２、磁気ヘッド２５、ページセンサ２６、印字ヘッド４ａ等を有する媒体印字部４、通帳ページ捲り部５等で構成され、一時退避部８は、分岐搬送ローラ３２を有する分岐搬送路３１等で構成されている。
【００２３】
以下に、本実施例の通帳伝票プリンタ１による媒体処理の処理動作について説明する。
以下の説明においては、金融機関の応対窓口のオペレータが顧客から受取った通帳および伝票を基に取引（例えば、出金伝票による出金取引）を行い、その取引内容を通帳に記帳し、これと同時に伝票に所定の事項を印字する場合を例に説明する。
【００２４】
本実施例の通帳伝票プリンタ１の初期状態は、媒体取込排出部３の媒体搬送ローラ１１は媒体搬送路１２内で一対の搬送ローラを突合せた状態、幅寄せローラ１６は媒体搬送路１２から退避した状態になっており、搬送路切替部７は、媒体搬送路１２から搬送された媒体を印字搬送路２３へ導く方向に搬送方向を切替えた状態になっている。
【００２５】
オペレータが顧客の通帳の記帳ページを開いて、媒体挿入排出口２から綴じ目の直交方向に沿った方向に通帳を印字面を垂直にして挿入すると、通帳伝票プリンタ１の図示しない制御部は、挿入センサ１３で媒体の挿入を検出し、媒体取込排出部３の媒体搬送ローラ１１をＲ方向（図３参照）への搬送方向に回転させ、当該媒体を挟持して挿入方向（Ｒ方向）に搬送し、媒体取込排出部３内への取込を開始する。
【００２６】
挿入された媒体の取込を開始した制御部は、媒体セットセンサ１４が媒体の挿入方向（Ｒ方向）の先端を検出するまで媒体搬送ローラ１１を回転させ、媒体セットセンサ１４が通帳の先端を検出したときに媒体搬送ローラ１１を全て停止させ、媒体搬送ローラ１１を媒体搬送路１２から退避させて通帳を自重により落下させて媒体基準面１５に突当てる。これにより、通帳の下端が自動的に印字基準面２２と同じ高さに位置決めされる。
【００２７】
なお、所定の時間経過しても媒体セットセンサ１４が通帳を検出しない場合、制御部は、幅寄せローラ１６により通帳を挟持して搬送し、落ちきらなかった通帳を強制的に媒体基準面１５に突当てる。
そして、制御部は、位置決めされた通帳を媒体搬送ローラ１１で再び挟持する。幅寄せローラで位置決めした場合は、媒体搬送ローラ１１による挟持後に幅寄せローラ１６を媒体搬送路１２から退避させる。これにより媒体基準面１５に位置決めされた通帳が媒体搬送ローラ１１に挟持された状態で媒体取込排出部３内に取込まれる。
【００２８】
また、前記した媒体搬送ローラ１１による媒体の搬送中に、制御部は、挿入センサ１３が媒体の挿入方向の先端を検出したときからの経過時間を計測しながら挿入センサ１３が媒体の後端を検出するのを待って待機し、挿入センサ１３が媒体の後端を検出したときに、その経過時間を基に媒体の長さを検出し、その長さによって媒体が通帳であるか伝票であるかを判定し、その判定結果、つまり先の媒体の種類を図示しない記憶部に保存する（本段階では、挿入された媒体を通帳と判定し、先の媒体が通帳であることを記憶部に保存する。）。
【００２９】
そして、制御部は、媒体取込排出部３の媒体搬送ローラ１１によって位置決めされた通帳を印字搬送路２３の方向（Ｒ方向）へ搬送し、これを媒体取込排出部３から印字搬送路２３の印字搬送ローラ２１に引渡し、記憶部に保存されている先の媒体に種類によって当該媒体を通帳と認識し、当該通帳をページセンサ２６での読取り位置へ搬送してページマークを読取ると共にこの搬送の過程で磁気ヘッド２５によって通帳の磁気ストライプから記帳中のページ等の通帳情報を読取る。
【００３０】
通帳のページマークおよび通帳情報を読取った制御部は、当該通帳を印字搬送ローラ２１で通帳印字位置へ搬送し、印字ヘッド４ａで通帳への印字処理を行う。この場合に、改ページが必要であれば、印字搬送ローラ２１により通帳ページ捲り部５へ搬送してページの捲り処理を行った後に印字処理を行う。
【００３１】
この通帳への印字処理の過程で挿入センサ１３が媒体挿入排出口２から挿入された新たな媒体（本実施例では伝票）の挿入方向（Ｒ方向）の先端を検出した場合、制御部は、その挿入を受入れ、上記した通帳の場合と同様にして、媒体搬送ローラ１１により当該伝票を媒体取込排出部３内に搬送して位置決めを行い、経過時間を基に検出した媒体の長さによって当該媒体が伝票であると判定して、後の媒体が伝票であることを記憶部に保存し、伝票を媒体搬送ローラ１１で挟持した状態で媒体取込排出部３内に取込む。
【００３２】
媒体取込排出部３に伝票を取込んだ制御部は、搬送路切替部７によって伝票の搬送方向を分岐搬送路３１の方向に切替え、媒体取込排出部３の媒体搬送ローラ１１によって、位置決めされた伝票を挿入方向（Ｒ方向）へ搬送し、これを媒体取込排出部３から分岐搬送路３１の分岐搬送ローラ３２に引渡し、正方向に回転する分岐搬送ローラ３２によって一時退避部８へ搬送して、後の媒体である伝票を一時退避させる。
【００３３】
そして、制御部は、通帳への印字処理が終了し、かつ伝票が一時退避部８へ搬送されたことを認識したときに、搬送路切替部７によって、印字処理を終えた通帳の搬送方向を印字搬送路２３から媒体取込排出部３の媒体搬送路１２へ搬送する方向に切替え、印字処理を終えた通帳を印字搬送ローラ２１で媒体取込排出部３の方向（Ｆ方向）へ搬送すると共にこの搬送の過程で磁気ヘッド２５により通帳の磁気ストライプの通帳情報に現在の記帳ページ等を書込み、その通帳を媒体搬送路１２の媒体搬送ローラ１１に引渡し、媒体搬送ローラ１１により通帳を更に排出方向（Ｆ方向）へ搬送して挿入センサ１３が通帳の排出方向の先端を検出し所定の距離搬送した後に媒体搬送ローラ１１を停止して媒体挿入排出口２から通帳を排出し、挿入センサ１３によってオペレータによる通帳の受取りを確認する。
【００３４】
オペレータによる通帳の受取りを確認した制御部は、搬送路切替部７によって、一時退避させた伝票の搬送方向を分岐搬送路３１から媒体取込排出部３の媒体搬送路１２へ搬送する方向に切替え、一時退避させた伝票を逆方向に回転する分岐搬送ローラ３２で媒体取込排出部３の方向へ搬送して媒体搬送路１２の媒体搬送ローラ１１に引渡し、媒体搬送ローラ１１により挿入センサ１３が伝票の搬送方向の先端を検出するまで搬送して媒体搬送ローラ１１を停止させ、媒体搬送ローラ１１を逆転させて、上記した通帳の場合と同様にして、当該伝票を媒体搬送路１２の媒体基準面１５に自重により落下させて突当て、伝票の下端を印字基準面２２と同じ高さに自動的に位置決めをする。
【００３５】
そして、制御部は、搬送路切替部７によって、位置決めされた伝票の搬送方向を媒体取込排出部３の媒体搬送路１２から印字搬送路２３へ搬送する方向に切替え、位置決めされた伝票を媒体搬送ローラ１１で再び挟持して印字搬送路２３の方向（Ｒ方向）へ搬送し、これを媒体取込排出部３から印字搬送路２３の印字搬送ローラ２１に引渡し、記憶部に保存されている後の媒体の種類によって当該媒体を伝票と認識し、当該伝票を伝票印字位置へ搬送して印字ヘッド４ａで伝票への印字処理を行う。
【００３６】
伝票への印字処理が終了すると、制御部は、印字処理を終えた伝票を印字搬送ローラ２１で媒体取込排出部３の方向（Ｆ方向）へ搬送して媒体搬送路１２の媒体搬送ローラ１１に引渡し、媒体搬送ローラ１１により伝票を更に排出方向（Ｆ方向）へ搬送して挿入センサ１３が伝票の排出方向の先端を検出し所定の距離搬送した後に媒体搬送ローラ１１を停止して媒体挿入排出口２から伝票を排出し、挿入センサ１３によってオペレータによる伝票の受取りを確認する。
【００３７】
ここで、本実施例においては挿入された媒体の媒体長を検出することにより媒体種別（通帳または伝票のいずれか）を判別することとしたが、上位装置からの制御コマンドまたは装置の操作パネル等により媒体種別を指定し、指定結果に従い媒体の処理動作を制御することとしてもよい。
このようにして、本実施例の通帳伝票プリンタ１による通帳および伝票を連続的かつ同時に処理する媒体処理の処理動作が行われる。
【００３８】
なお、通帳のみを処理する場合は、上記で説明した通帳の処理動作のみを実行し、伝票のみを処理する場合は、前記で説明した通帳のみを処理する場合の処理動作の媒体を伝票に置換えて実行するようにする。
また、上記では先の媒体は通帳であるとして説明したが、先の媒体が伝票の場合も同様である。この場合は、伝票のみを処理するプロセスを先に実行し、伝票の印字処理中に通帳を一時退避部８へ退避させるとよい。
更に、印字処理が終了した通帳または伝票のいずれの媒体を優先して排出するかは、上位装置からの制御コマンドまたは装置の操作パネル等により設定できることとしてもよい。
【００３９】
上記のように、本実施例の通帳伝票プリンタ１は、印字面を垂直にした通帳または伝票の挿入および排出を行う媒体挿入排出口を設けると共に、通帳および伝票への印字処理等を行う媒体処理部６と、通帳または伝票を一時退避させる一時退避部８とを水平方向に並設したので、印字面を水平にして挿入、排出を行う従来の通帳伝票プリンタ１に比べて、通帳伝票プリンタ１の水平方向の設置幅を小さくすることができ、図２に示すように、机上の作業スペースを広くすることができると共に、机の下等の狭いスペースであっても通帳伝票プリンタを設置することができ、応対窓口等の通帳伝票プリンタ１を設置する空間のスペースユーティリティを向上させることができる。
【００４０】
また、搬送路切替部７によって搬送方向を切替えて、後の媒体を一時退避部８へ一時退避させるので、処理後の媒体の排出完了を待たずに、先の媒体の印字処理中に、後の媒体を受入れることが可能になり、通常、窓口取引において同時に提出される通帳および伝票からなる２種類の媒体の同時処理を可能にして、窓口取引における処理時間を短縮することができる。
【００４１】
更に、媒体の自重を利用して、媒体を媒体基準面１５に落下させて位置決めするので、媒体の突当て処理自体を省略して媒体基準面１５への幅寄せ機能を簡素化することができると共に、幅寄せ処理を高速化して通帳伝票プリンタ１の処理速度を向上させることができる。
更に、通帳および伝票の両方を挿入する兼用の媒体挿入排出口２を設けているため、オペレータが媒体挿入排出口２を間違えることがなくなり、媒体に対する処理のやり直しを防止して窓口取引における処理時間を短縮することができる。
【００４２】
以上説明したように、本実施例では、媒体挿入排出口から印字面を垂直にして挿入された通帳および伝票からなる媒体を、処理後に媒体挿入排出口から排出する通帳伝票プリンタに、媒体挿入排出口から挿入された媒体を取込み、その媒体を挿入方向に搬送する媒体搬送路と、媒体搬送路の挿入方向に併設され、媒体搬送路から引渡された媒体を、その媒体の下端の位置決めを行う印字基準面に沿わせて挿入方向に搬送する印字搬送路と、媒体への印字を行う媒体印字部とが設けられた媒体処理部と、媒体搬送路と印字搬送路との連結部から分岐する分岐搬送路に設けられた一時退避部と、連結部に設けられ、搬送方向を印字搬送路または分岐搬送路の方向へ切替える搬送路切替部とを設けたことによって、通帳伝票プリンタの水平方向の設置幅を小さくして、応対窓口等の通帳伝票プリンタを設置する空間のスペースユーティリティを向上させることができると共に、通帳および伝票の同時処理を可能にして、窓口取引における処理時間を短縮することができる。
【符号の説明】
【００４３】
１    通帳伝票プリンタ
２    媒体挿入排出口
３    媒体取込排出部
４    媒体印字部
４ａ  印字ヘッド
４ｂ  プラテン
４ｃ  インクリボンカセット
５    通帳ページ捲り部
６    媒体処理部
７    搬送路切替部
８    一時退避部
１０  入力装置
１１  媒体搬送ローラ
１２  媒体搬送路
１２ａ、１２ｂ、２３ａ、２３ｂ、３１ａ、３１ｂ  搬送ガイド
１３  挿入センサ
１４  媒体セットセンサ
１５  媒体基準面
１６  幅寄せローラ
２１  印字搬送ローラ
２２  印字基準面
２３  印字搬送路
２５  磁気ヘッド
２６  ページセンサ
３１  分岐搬送路
３２  分岐搬送ローラ
【図１】
0005742459.tif 000002
【図２】
0005742459.tif 000003
【図３】
0005742459.tif 000004
【図４】
0005742459.tif 000005
【図５】
0005742459.tif 000006